(57)【要約】【課題】  空気入りタイヤのユニフォミティを改善し、走行時の振動を抑制することを可能にしたタイヤ加硫成形用モールド、並びに、そのタイヤ加硫成形用モールドにより製造された空気入りタイヤ及びその製造方法を提供する。【解決手段】  空気入りタイヤのサイドウォール部を成形する一対のサイドプレート１，２と、空気入りタイヤのビード部を成形する一対のビードリング３，４と、タイヤ周方向に分割されていて環状に組み合わされた状態で空気入りタイヤのトレッド部を成形する複数のセクターモールド５とを備えたタイヤ加硫成形用モールドにおいて、サイドプレート１，２により規定されるタイヤ径方向のサイドプロファイルＳをセクターモールド分割位置Ｐｅとセクターモールド中央位置Ｐｃとで互いに異ならせ、セクターモールド分割位置ＰｅにおけるサイドプロファイルＳの曲率半径Ｒｅをセクターモールド中央位置ＰｃにおけるサイドプロファイルＳの曲率半径Ｒｃよりも小さくする。【選択図】  図３
2015054408.tif 000002
【特許請求の範囲】
【請求項１】
空気入りタイヤのサイドウォール部を成形する一対のサイドプレートと、前記空気入りタイヤのビード部を成形する一対のビードリングと、タイヤ周方向に分割されていて環状に組み合わされた状態で前記空気入りタイヤのトレッド部を成形する複数のセクターモールドとを備えたタイヤ加硫成形用モールドにおいて、前記サイドプレートにより規定されるタイヤ径方向のサイドプロファイルをセクターモールド分割位置とセクターモールド中央位置とで互いに異ならせ、前記セクターモールド分割位置における前記サイドプロファイルの曲率半径Ｒｅを前記セクターモールド中央位置における前記サイドプロファイルの曲率半径Ｒｃよりも小さくしたことを特徴とするタイヤ加硫成形用モールド。
【請求項２】
前記曲率半径Ｒｅと前記曲率半径Ｒｃとの比を１．０＜Ｒｃ／Ｒｅ≦２．０の範囲に設定したことを特徴とする請求項１に記載のタイヤ加硫成形用モールド。
【請求項３】
前記サイドプレートにより規定されるタイヤ断面幅をセクターモールド分割位置とセクターモールド中央位置とで互いに異ならせ、前記セクターモールド中央位置における前記タイヤ断面幅ＳＷｃを前記セクターモールド分割位置における前記タイヤ断面幅ＳＷｅよりも小さくしたことを特徴とする請求項１又は２に記載のタイヤ加硫成形用モールド。
【請求項４】
前記サイドプレートにより規定されるタイヤ最大幅位置の高さをセクターモールド分割位置とセクターモールド中央位置とで互いに異ならせ、前記セクターモールド中央位置における前記タイヤ最大幅位置の高さＳＤＨｃを前記セクターモールド分割位置における前記タイヤ最大幅位置の高さＳＤＨｅよりも低くしたことを特徴とする請求項１〜３のいずれかに記載のタイヤ加硫成形用モールド。
【請求項５】
請求項１〜４のいずれかに記載のタイヤ加硫成形用モールドにより製造されたことを特徴とする空気入りタイヤ。
【請求項６】
空気入りタイヤのサイドウォール部を成形する一対のサイドプレートと、前記空気入りタイヤのビード部を成形する一対のビードリングと、タイヤ周方向に分割されていて環状に組み合わされた状態で前記空気入りタイヤのトレッド部を成形する複数のセクターモールドとを備えたタイヤ加硫成形用モールドにおいて、前記サイドプレートにより規定されるタイヤ径方向のサイドプロファイルをセクターモールド分割位置とセクターモールド中央位置とで互いに異ならせ、前記セクターモールド分割位置における前記サイドプロファイルの曲率半径Ｒｅを前記セクターモールド中央位置における前記サイドプロファイルの曲率半径Ｒｃよりも小さくしたタイヤ加硫成形用モールドを使用し、該タイヤ加硫成形用モールドの内部に未加硫タイヤを挿入し、該タイヤ加硫成形用モールド内で前記未加硫タイヤを加硫することを特徴とする空気入りタイヤの製造方法。
【請求項７】
前記曲率半径Ｒｅと前記曲率半径Ｒｃとの比を１．０＜Ｒｃ／Ｒｅ≦２．０の範囲に設定したことを特徴とする請求項６に記載の空気入りタイヤの製造方法。
【請求項８】
前記サイドプレートにより規定されるタイヤ断面幅をセクターモールド分割位置とセクターモールド中央位置とで互いに異ならせ、前記セクターモールド中央位置における前記タイヤ断面幅ＳＷｃを前記セクターモールド分割位置における前記タイヤ断面幅ＳＷｅよりも小さくしたことを特徴とする請求項６又は７に記載の空気入りタイヤの製造方法。
【請求項９】
前記サイドプレートにより規定されるタイヤ最大幅位置の高さをセクターモールド分割位置とセクターモールド中央位置とで互いに異ならせ、前記セクターモールド中央位置における前記タイヤ最大幅位置の高さＳＤＨｃを前記セクターモールド分割位置における前記タイヤ最大幅位置の高さＳＤＨｅよりも低くしたことを特徴とする請求項６〜８のいずれかに記載の空気入りタイヤの製造方法。
【発明の詳細な説明】
【技術分野】
【０００１】
本発明は、セクショナルタイプのタイヤ加硫成形用モールドに関し、更に詳しくは、空気入りタイヤのユニフォミティを改善し、走行時の振動を抑制することを可能にしたタイヤ加硫成形用モールド、並びに、そのタイヤ加硫成形用モールドにより製造された空気入りタイヤ及びその製造方法に関する。
【背景技術】
【０００２】
空気入りタイヤを加硫成形するために使用されるモールドとして、セクショナルタイプのモールドがある。このようなセクショナルタイプのタイヤ加硫成形用モールドは、空気入りタイヤのサイドウォール部を成形する一対のサイドプレートと、空気入りタイヤのビード部を成形する一対のビードリングと、タイヤ周方向に分割されていて環状に組み合わされた状態で空気入りタイヤのトレッド部を成形する複数のセクターモールドとを備えている。そして、タイヤ加硫成形用モールドの内部に未加硫タイヤを挿入し、これをモールド内で加硫することにより、所望の外表面形状を有する空気入りタイヤが製造される。
【０００３】
しかしながら、セクショナルタイプのタイヤ加硫成形用モールドにおいては、複数のセクターモールドがタイヤ周方向に分割されているため、未加硫トレッドゴムの変形や流動挙動の関連の下で、トレッド部のゴムボリュームがタイヤ周方向において不均一になる傾向がある。より具体的には、トレッド部のゴムボリュームはセクターモールドのタイヤ周方向の中央位置よりも両端位置付近において相対的に多くなる傾向がある。このようにしてトレッド部のゴムボリュームが不均一になると、空気入りタイヤのユニフォミティが悪化し、車両走行時に振動が発生する。特に、この種の振動は例えば大型ＲＶ（レクリエーショナル・ビークル）用のオールシーズンタイヤのように分厚いトレッド部を有する空気入りタイヤにおいて問題視されている。
【０００４】
上述のようにセクショナルタイプのタイヤ加硫成形用モールドの特性に起因して生じる不均一さを解消するために、空気入りタイヤのビードフィラーの断面積をタイヤ周方向に沿って変化させ、そのビードフィラーの断面積をセクターモールドの分割位置において相対的に小さくすることが提案されている（例えば、特許文献１参照）。
【０００５】
このようにセクショナルタイプのタイヤ加硫成形用モールドにより成形される空気入りタイヤにおいて、ビードフィラーの断面積をタイヤ周方向に沿って変化させた場合、ユニフォミティの改善効果を期待することができる。しかしながら、ビードフィラーの断面積をタイヤ周方向に沿って変化させることは製造技術上困難であり、しかもビードフィラーの断面積をタイヤ周方向に沿って変化させた未加硫タイヤをモールド内に挿入する際には位置合わせが必要になるため、その位置合わせ作業が煩雑である。そのため、上述した手法は必ずしも実用性が高いものではない。
【先行技術文献】
【特許文献】
【０００６】
【特許文献１】特開２００７−３２０５４０号公報
【発明の概要】
【発明が解決しようとする課題】
【０００７】
本発明の目的は、空気入りタイヤのユニフォミティを改善し、走行時の振動を抑制することを可能にしたタイヤ加硫成形用モールド、並びに、そのタイヤ加硫成形用モールドにより製造された空気入りタイヤ及びその製造方法を提供することにある。
【課題を解決するための手段】
【０００８】
上記目的を達成するための本発明のタイヤ加硫成形用モールドは、空気入りタイヤのサイドウォール部を成形する一対のサイドプレートと、前記空気入りタイヤのビード部を成形する一対のビードリングと、タイヤ周方向に分割されていて環状に組み合わされた状態で前記空気入りタイヤのトレッド部を成形する複数のセクターモールドとを備えたタイヤ加硫成形用モールドにおいて、前記サイドプレートにより規定されるタイヤ径方向のサイドプロファイルをセクターモールド分割位置とセクターモールド中央位置とで互いに異ならせ、前記セクターモールド分割位置における前記サイドプロファイルの曲率半径Ｒｅを前記セクターモールド中央位置における前記サイドプロファイルの曲率半径Ｒｃよりも小さくしたことを特徴とするものである。
【０００９】
また、上記目的を達成するための本発明の空気入りタイヤは、上記タイヤ加硫成形用モールドにより製造されたことを特徴とするものである。
【００１０】
更に、上記目的を達成するための本発明の空気入りタイヤの製造方法は、空気入りタイヤのサイドウォール部を成形する一対のサイドプレートと、前記空気入りタイヤのビード部を成形する一対のビードリングと、タイヤ周方向に分割されていて環状に組み合わされた状態で前記空気入りタイヤのトレッド部を成形する複数のセクターモールドとを備えたタイヤ加硫成形用モールドにおいて、前記サイドプレートにより規定されるタイヤ径方向のサイドプロファイルをセクターモールド分割位置とセクターモールド中央位置とで互いに異ならせ、前記セクターモールド分割位置における前記サイドプロファイルの曲率半径Ｒｅを前記セクターモールド中央位置における前記サイドプロファイルの曲率半径Ｒｃよりも小さくしたタイヤ加硫成形用モールドを使用し、該タイヤ加硫成形用モールドの内部に未加硫タイヤを挿入し、該タイヤ加硫成形用モールド内で前記未加硫タイヤを加硫することを特徴とするものである。
【発明の効果】
【００１１】
本発明者の知見によれば、セクショナルタイプのタイヤ加硫成形用モールドを用いて空気入りタイヤを製造した場合、トレッド部のセクターモールド中央位置付近のゴムボリュームが相対的に小さくなり、当該部位のトレッド剛性が相対的に低くなる一方で、トレッド部のセクターモールド分割位置付近（タイヤ周方向の両端位置付近）のゴムボリュームが相対的に大きくなり、当該部位のトレッド剛性が相対的に高くなる傾向がある。
【００１２】
そこで、本発明では、サイドプレートにより規定されるタイヤ径方向のサイドプロファイルをセクターモールド分割位置とセクターモールド中央位置とで互いに異ならせ、セクターモールド分割位置におけるサイドプロファイルの曲率半径Ｒｅをセクターモールド中央位置におけるサイドプロファイルの曲率半径Ｒｃよりも小さくすることにより、得られる空気入りタイヤにおいて、トレッド剛性が低いセクターモールド中央位置では相対的に大きな曲率半径Ｒｃに基づいてサイド剛性を高くし、トレッド剛性が高いセクターモールド分割位置では相対的に小さな曲率半径Ｒｅに基づいてサイド剛性を低くする。これにより、トレッド剛性の不均一さをサイド剛性の不均一さにより相殺するので、タイヤ全体としてのユニフォミティを改善することができる。その結果、走行時の振動を抑制することができる。
【００１３】
しかも、本発明は、セクターモールドの分割位置に対してサイドプレートの構造を規定するだけで持続的な効果が得られるので、従来の手法とは異なって、ビードフィラーの断面積をタイヤ周方向に沿って変化させたり、タイヤ挿入時に位置合わせを行ったりするという煩雑な作業を必要とせず、実用性が極めて高いものである。
【００１４】
本発明において、曲率半径Ｒｅと曲率半径Ｒｃとの比は１．０＜Ｒｃ／Ｒｅ≦２．０の範囲に設定することが好ましい。比Ｒｃ／Ｒｅを上記範囲に設定することにより、ユニフォミティの改善効果を十分に得ることができる。
【００１５】
また、本発明において、サイドプレートにより規定されるタイヤ断面幅をセクターモールド分割位置とセクターモールド中央位置とで互いに異ならせ、セクターモールド中央位置におけるタイヤ断面幅ＳＷｃをセクターモールド分割位置におけるタイヤ断面幅ＳＷｅよりも小さくすることが好ましい。これにより、得られる空気入りタイヤにおいて、トレッド剛性が低いセクターモールド中央位置では相対的に小さなタイヤ断面幅ＳＷｃに基づいてサイド剛性を高くし、トレッド剛性が高いセクターモールド分割位置では相対的に大きなタイヤ断面幅ＳＷｅに基づいてサイド剛性を低くするので、ユニフォミティの改善効果を高めることができる。
【００１６】
更に、本発明において、サイドプレートにより規定されるタイヤ最大幅位置の高さをセクターモールド分割位置とセクターモールド中央位置とで互いに異ならせ、セクターモールド中央位置におけるタイヤ最大幅位置の高さＳＤＨｃをセクターモールド分割位置におけるタイヤ最大幅位置の高さＳＤＨｅよりも低くすることが好ましい。これにより、得られる空気入りタイヤにおいて、トレッド剛性が低いセクターモールド中央位置では相対的に低くしたタイヤ最大幅位置の高さＳＤＨｃに基づいてサイド剛性を高くし、トレッド剛性が高いセクターモールド分割位置では相対的に高くしたタイヤ最大幅位置の高さＳＤＨｅに基づいてサイド剛性を低くするので、ユニフォミティの改善効果を高めることができる。
【図面の簡単な説明】
【００１７】
【図１】本発明の実施形態からなるタイヤ加硫成形用モールドを備えた加硫装置を示す子午線断面図である。
【図２】図１のタイヤ加硫成形用モールドの要部を示す平面図である。
【図３】図２のタイヤ加硫成形用モールドにおけるセクターモールド分割位置及びセクターモールド中央位置での金型構造を示す断面図である。
【発明を実施するための形態】
【００１８】
以下、本発明の構成について添付の図面を参照しながら詳細に説明する。図１は本発明の実施形態からなるタイヤ加硫成形用モールドを備えた加硫装置を示すものである。図１に示すように、本実施形態のタイヤ加硫成形用モールドは、空気入りタイヤＴのサイドウォール部を成形する一対の下側サイドプレート１及び上側サイドプレート２と、空気入りタイヤＴのビード部を成形する一対の下側ビードリング３及び上側ビードリング４と、タイヤ周方向に分割されていて環状に組み合わされた状態で空気入りタイヤＴのトレッド部を成形する複数のセクターモールド５とを備え、そのモールド内に回転軸を鉛直方向にして挿入された未加硫の空気入りタイヤＴを加硫成形するようになっている。加硫時において、空気入りタイヤＴの内側には円筒状に成形されたゴム製のブラダー６が挿入される。
【００１９】
ブラダー６の下端部は下側ビードリング３と下側ブラダークランプリング７との間に挟み込まれ、ブラダー６の上端部は鉛直方向に移動自在の上側ブラダークランプリング８と補助リング９との間に挟み込まれている。そのため、閉型時には図示のように上側ブラダークランプリング８が下方位置に停止することでブラダー６の膨張を許容する一方で、開型時には上側ブラダークランプリング８が上方位置に移動することでタイヤ内側からブラダー６を引き出すようになっている。
【００２０】
上記加硫装置には、ブラダー６の内部に加圧媒体を導入するための不図示の加圧媒体導入手段が設けられており、その加圧媒体の圧力に基づいて加硫時空気入りタイヤＴを内側から押圧するようになっている。加圧媒体としては、例えば、窒素ガスやスチームが使用される。また、下側サイドプレート１、上側サイドプレート２及びセクターモールド５の外部には不図示の加熱手段が配設されており、その加熱手段がモールドを外側から加熱するようになっている。
【００２１】
上述のようなタイヤ加硫成形用モールドを用いて空気入りタイヤＴを製造する場合、タイヤ加硫成形用モールドの内部に未加硫の空気入りタイヤＴを挿入し、これをタイヤ加硫成形用モールド内で加硫する。これにより、サイドプレート１，２、ビードリング３，４及びセクターモールド５の内表面形状に基づいて所望の外表面形状を有する空気入りタイヤが製造される。
【００２２】
図２及び図３は上記タイヤ加硫成形用モールドの要部を示すものである。図２において、Ｐｅはセクターモールド５の分割位置（セクターモールド分割位置）であり、Ｐｃはセクターモールド５のタイヤ周方向の中央位置（セクターモールド中央位置）である。図３において、ＣＬはセクターモールド５のタイヤ幅方向の中心線である。図３に示すように、上記タイヤ加硫成形用モールドにおいて、サイドプレート１，２により規定されるタイヤ径方向のサイドプロファイルＳはセクターモールド分割位置Ｐｅとセクターモールド中央位置Ｐｃとで互いに異なっており、セクターモールド分割位置ＰｅにおけるサイドプロファイルＳ（実線部）の曲率半径Ｒｅはセクターモールド中央位置ＰｃにおけるサイドプロファイルＳ（破線部）の曲率半径Ｒｃよりも小さくなるように設定されている。
【００２３】
そのため、上記タイヤ加硫成形用モールドにより成形される空気入りタイヤＴのサイドウォール部はタイヤ周方向に沿って反復的に起伏するような形状となる。また、空気入りタイヤＴのカーカスラインＣはサイドプロファイルＳの変化に応じてそのタイヤ幅方向の位置が変化する。つまり、図３に示すように、カーカスラインＣはセクターモールド分割位置Ｐｅでは実線にて描写されるような曲線を描くが、セクターモールド中央位置Ｐｃでは破線にて描写されるような曲線を描くことになる。
【００２４】
一般に、セクショナルタイプのタイヤ加硫成形用モールドを用いて空気入りタイヤＴを製造する場合、トレッド部のセクターモールド中央位置Ｐｃ付近のゴムボリュームが相対的に小さくなり、当該部位のトレッド剛性が相対的に低くなる一方で、トレッド部のセクターモールド分割位置Ｐｅ付近のゴムボリュームが相対的に大きくなり、当該部位のトレッド剛性が相対的に高くなる傾向がある。
【００２５】
これに対して、上記タイヤ加硫成形用モールドでは、サイドプレート１，２により規定されるタイヤ径方向のサイドプロファイルＳをセクターモールド分割位置Ｐｅとセクターモールド中央位置Ｐｃとで互いに異ならせ、セクターモールド分割位置ＰｅにおけるサイドプロファイルＳの曲率半径Ｒｅをセクターモールド中央位置ＰｃにおけるサイドプロファイルＳの曲率半径Ｒｃよりも小さくすることにより、得られる空気入りタイヤＴにおいて、トレッド剛性が低いセクターモールド中央位置Ｐｃでは相対的に大きな曲率半径Ｒｃに基づいてサイド剛性を高くし、トレッド剛性が高いセクターモールド分割位置Ｐｅでは相対的に小さな曲率半径Ｒｅに基づいてサイド剛性を低くしている。これにより、トレッド剛性の不均一さをサイド剛性の不均一さによって相殺することができるので、タイヤ全体としてのユニフォミティを改善し、走行時の振動を抑制することができる。
【００２６】
曲率半径Ｒｅと曲率半径Ｒｃとの比Ｒｃ／Ｒｅは、１．０＜Ｒｃ／Ｒｅ≦２．０の範囲、より好ましくは、１．２≦Ｒｃ／Ｒｅ≦１．５の範囲に設定すると良い。比Ｒｃ／Ｒｅを上記範囲に設定することにより、ユニフォミティの改善効果を十分に得ることができる。ここで、比Ｒｃ／Ｒｅが小さ過ぎるとユニフォミティの改善効果が得られず、逆に２．０を超えるとサイド剛性のタイヤ周方向の変動量が過大になるためユニフォミティの改善効果が低下する。
【００２７】
また、上記タイヤ加硫成形用モールドにおいて、サイドプレート１，２により規定されるタイヤ断面幅をセクターモールド分割位置Ｐｅとセクターモールド中央位置Ｐｃとで互いに異ならせ、セクターモールド中央位置Ｐｃにおけるタイヤ断面幅ＳＷｃをセクターモールド分割位置Ｐｅにおけるタイヤ断面幅ＳＷｅよりも小さく設定すると良い。これにより、得られる空気入りタイヤＴにおいて、トレッド剛性が低いセクターモールド中央位置Ｐｃでは相対的に小さなタイヤ断面幅ＳＷｃに基づいてサイド剛性を高くし、トレッド剛性が高いセクターモールド分割位置Ｐｅでは相対的に大きなタイヤ断面幅ＳＷｅに基づいてサイド剛性を低くし、その結果、ユニフォミティの改善効果を高めることができる。
【００２８】
タイヤ断面幅ＳＷｅとタイヤ断面幅ＳＷｃとの比ＳＷｅ／ＳＷｃは、１．０２≦ＳＷｅ／ＳＷｃ≦１．０５の範囲に設定すると良い。比ＳＷｅ／ＳＷｃを上記範囲に設定することにより、ユニフォミティの改善効果を十分に得ることができる。ここで、比ＳＷｅ／ＳＷｃが１．０２未満であるとユニフォミティの改善効果が低下し、逆に１．０５を超えるとサイド剛性のタイヤ周方向の変動量が過大になるためユニフォミティの改善効果が低下する。
【００２９】
更に、上記タイヤ加硫成形用モールドにおいて、サイドプレート１，２により規定されるタイヤ最大幅位置の高さをセクターモールド分割位置Ｐｅとセクターモールド中央位置Ｐｃとで互いに異ならせ、セクターモールド中央位置Ｐｃにおけるタイヤ最大幅位置の高さＳＤＨｃをセクターモールド分割位置Ｐｅにおけるタイヤ最大幅位置の高さＳＤＨｅよりも低く設定すると良い。これにより、得られる空気入りタイヤＴにおいて、トレッド剛性が低いセクターモールド中央位置Ｐｃでは相対的に低くしたタイヤ最大幅位置の高さＳＤＨｃに基づいてサイド剛性を高くし、トレッド剛性が高いセクターモールド分割位置Ｐｅでは相対的に高くしたタイヤ最大幅位置の高さＳＤＨｅに基づいてサイド剛性を低くし、その結果、ユニフォミティの改善効果を高めることができる。なお、タイヤ最大幅位置の高さＳＤＨｅ，ＳＤＨｃはビードヒール位置からタイヤ最大幅位置までのタイヤ径方向の高さである。
【００３０】
高さＳＤＨｅと高さＳＤＨｃとの比ＳＤＨｅ／ＳＤＨｃは、１．０２≦ＳＤＨｅ／ＳＤＨｃ≦１．０８の範囲に設定すると良い。比ＳＤＨｅ／ＳＤＨｃを上記範囲に設定することにより、ユニフォミティの改善効果を十分に得ることができる。ここで、比ＳＤＨｅ／ＳＤＨｃが１．０２未満であるとユニフォミティの改善効果が低下し、逆に１．０８を超えるとサイド剛性のタイヤ周方向の変動量が過大になるためユニフォミティの改善効果が低下する。
【００３１】
上述した実施形態においては、タイヤ加硫成形用モールドが周上に配置された８個のセクターモールド５を備える場合について説明したが、本発明ではセクターモールド５の配置数は特に限定されるものではない。また、セクターモールド５の配置数は偶数個であっても良く、或いは、奇数個であっても良い。
【実施例】
【００３２】
タイヤサイズＰ２６５／７０Ｒ１７  １１３Ｔの空気入りタイヤをセクショナルタイプのタイヤ加硫成形用モールドを用いて製造するにあたって、そのタイヤ加硫成形用モールドの構造を種々異ならせた。
【００３３】
実施例１〜４においては、サイドプレートの断面形状をタイヤ周方向に沿って反復的に変化させ、セクターモールド分割位置におけるサイドプロファイルの曲率半径Ｒｅとセクターモールド中央位置におけるサイドプロファイルの曲率半径Ｒｃとの比Ｒｃ／Ｒｅ、セクターモールド分割位置におけるタイヤ断面幅ＳＷｅとセクターモールド中央位置におけるタイヤ断面幅ＳＷｃとの比ＳＷｅ／ＳＷｃ、セクターモールド分割位置におけるタイヤ最大幅位置の高さＳＤＨｅとセクターモールド中央位置におけるタイヤ最大幅位置の高さＳＤＨｃとの比ＳＤＨｅ／ＳＤＨｃを表１のように設定した。
【００３４】
一方、従来例においては、サイドプレートの断面形状をタイヤ周方向に沿って一定にした。つまり、Ｒｃ／Ｒｅ＝１．０、ＳＷｅ／ＳＷｃ＝１．００、ＳＤＨｅ／ＳＤＨｃ＝１．００とした。
【００３５】
上述した従来例及び実施例１〜４のタイヤ加硫成形用モールドを用いて製造された試験タイヤについて、下記の評価方法により、ユニフォミティ及び振動性を評価し、その結果を表１に併せて示した。
【００３６】
ユニフォミティ：
各試験タイヤをリムサイズ１７×８．０Ｊのアルミホイール（ＴＲＡ標準リム）に組付け、空気圧を２００ｋＰａとして大型ＲＶ車に装着し、ＪＩＳ４２３３の「自動車用タイヤのユニフォミティ試験方法」に準拠して、ラジアルフォースバリエーション（ＲＦＶ）の測定を実施した。評価結果は、測定値の逆数を用い、従来例を１００とする指数にて示した。この指数値が大きいほどユニフォミティが良好であることを意味する。
【００３７】
振動性：
各試験タイヤをリムサイズ１７×８．０Ｊのアルミホイール（ＴＲＡ標準リム）に組付け、空気圧を２００ｋＰａとして大型ＲＶ車に装着し、テストドライバーによる官能評価を実施した。評価結果は、従来例１を１００とする指数にて示した。この指数値が大きいほど走行時の振動が少ないことを意味する。
【００３８】
【表１】
2015054408.tif 000003
【００３９】
表１から判るように、実施例１〜４のタイヤは、従来例との対比において、ユニフォミティが良好であり、しかも走行時の振動が少ないものであった。つまり、サイドプレートの断面形状をセクターモールドの位置に応じてタイヤ周方向に沿って反復的に変化させることにより、空気入りタイヤのユニフォミティを改善し、走行時の振動を抑制することができた。
【符号の説明】
【００４０】
１，２  サイドプレート
３，４  ビードリング
５  セクターモールド
６  ブラダー
Ｐｅ  セクターモールド分割位置
Ｐｃ  セクターモールド中央位置
Ｔ  空気入りタイヤ
【図１】
2015054408.tif 000004
【図２】
2015054408.tif 000005
【図３】
2015054408.tif 000006